(57)【特許請求の範囲】
【請求項１】
表示装置の光発生装置であって、
ゲート線と並行する方向に延長される短冊状の複数の回路基板によって構成され、互いに異なる波長を有する第１光及び第２光をそれぞれを出射する第１領域と、前記第１光及び第２光をそれぞれを出射する第２領域とを含む発光部と、
前記発光部に電流を印加し、前記第１領域から出射される第１光と前記第２領域から出射される第１光、及び前記第１領域から出射される第２光と前記第２領域から出射される第２光を出射するためにそれぞれに互いに異なる電流を前記発光部に印加する電源供給部とを有し、
前記第１領域と第２領域の内の一つは発光部の最外郭領域であり、
前記発光部の回路基板の各々は、複数の光学クラスタ（ｏｐｔｉｃａｌ  ｃｌｕｓｔｅｒ）を含み、各々の光学クラスタは前記第１光を出射する第１の発光素子と前記第２光を出射する第２の発光素子とを含んでグルーピングされ一つの光学クラスタとして定義され、
前記発光部の最外郭領域に位置する前記回路基板の光学クラスタ内の１つに受光部が形成され、前記第１光の輝度に対応する第１光感知信号及び前記第２光の輝度に対応する第２光感知信号を前記電源供給部に提供する光学センサをさらに有し、
前記第１光を出射する第１の発光素子は、前記第２光を出射する第２の発光素子より最外郭領域に配置され、
前記電源供給部は、前記第１及び第２領域の内の最外郭領域に配置された複数の発光素子に駆動電流を供給する第１電源供給ユニットを含み、
前記第１電源供給ユニットは、前記第１及び第２光感知信号が入力されデジタル変換して第１光感知データ及び第２光感知データを出力するアナログ／デジタル変換器と、
前記第１光感知データを増幅する第１増幅器と、
前記第２光感知データを減衰する第１減衰器と、
前記増幅された第１光感知データ及び前記減衰された第２光感知データに基づいて第１光制御信号及び第２光制御信号を出力するカラーコントローラと、
前記第１光制御信号に基づいて前記第１光を出射するための第１光駆動電流を前記最外郭領域に配置された複数の前記第１の発光素子に出力する第１駆動回路と、
前記第２光制御信号に基づいて前記第２光を出射するための第２光駆動電流を前記最外郭領域に配置された複数の前記第２の発光素子に出力する第２駆動回路とを含むことを特徴とする光発生装置。
【請求項２】
前記電源供給部は、前記第１及び第２領域の内の最外郭に対応しない領域に配置された複数の発光素子に駆動電流を供給する第２電源供給ユニットを含み、
前記第２電源供給ユニットは、前記第１及び第２光感知信号が入力されデジタル変換して第１光感知データ及び第２光感知データを出力するアナログ／デジタル変換器と、
前記第１及び第２光感知データに基づいて第１光制御信号及び第２光制御信号を出力するカラーコントローラと、
前記第１光制御信号に基づいて前記第１光を出射するための第１光駆動電流を前記最外郭に対応しない領域に配置された複数の前記第１の発光素子に出力する第１駆動回路と、
前記第２光制御信号に基づいて前記第２光を出射するための第２光駆動電流を前記最外郭に対応しない領域に配置された複数の前記第２の発光素子に出力する第２駆動回路とを含むことを特徴とする請求項１に記載の光発生装置。
【請求項３】
前記発光部は、互いに異なる波長を有する第１光及び第２光をそれぞれを出射する第３領域をさらに含み、
前記第３領域は、前記発光部の最外郭領域に配置された第１領域または第２領域と対向する最外郭領域に配置されることを特徴とする請求項１に記載の光発生装置。
【請求項４】
前記電源供給部は、前記第３領域に配置された複数の発光素子に駆動電流を供給する第３電源供給ユニットを含み、
前記第３電源供給ユニットは、前記第１及び第２光感知信号が入力されデジタル変換して第１光感知データ及び第２光感知データを出力するアナログ／デジタル変換器と、
前記第１光感知データを減衰する第２減衰器と、
前記第２光感知データを増幅する第２増幅器と、
前記減衰された第１光感知データ及び前記増幅された第２光感知データに基づいて第１光制御信号及び第２光制御信号を出力するカラーコントローラと、
前記第１光制御信号に基づいて前記第１光を出射するための第１光駆動電流を前記第３領域に配置された複数の前記第１の発光素子に出力する第１駆動回路と、
前記第２光制御信号に基づいて前記第２光を出射するための第２光駆動電流を前記第３領域に配置された複数の前記第２の発光素子に出力する第２駆動回路とを含むことを特徴とする請求項３に記載の光発生装置。
【請求項５】
前記発光部の第１領域及び第２領域のそれぞれは、前記第１光及び第２光とは相異した波長を有する第３光をさらに出射することを特徴とする請求項１に記載の光発生装置。
【請求項６】
前記光学センサは、前記第３光の輝度に対応する第３光感知信号を前記電源供給部に、さらに供給することを特徴とする請求項５に記載の光発生装置。
【請求項７】
前記発光部は、互いに異なる波長の前記第１光、第２光及び第３光をそれぞれを出射する第３領域をさらに含み、
前記第１及び第３領域は最外郭領域に配置され、前記第２領域は中間領域に配置され、
前記発光部は、前記第１光を出射し第１又は第３領域の前記回路基板の一方の最縁部に隣接する第１の発光素子と、
前記第３光を出射し第１又は第３領域の前記回路基板の中央に位置する第３の発光素子と、
前記第２光を出射し第１又は第３領域の前記回路基板の他方の最縁部に隣接する第２の発光素子とを含み、
前記電源供給部は、前記第１領域に配置された複数の発光素子に駆動電流を供給する第１電源供給ユニットを含み、
前記第１電源供給ユニットは、前記第１乃至第３光感知信号が入力されデジタル変換して第１光感知データ、第２光感知データ及び第３光感知データを出力するアナログ／デジタル変換器と、
前記第１光感知データを増幅する第１増幅器と、
前記第２光感知データを減衰する第１減衰器と、
前記増幅された第１光感知データ、前記第３光感知データ及び前記減衰された第２光感知データに基づいて第１光制御信号、第２光制御信号及び第３光制御信号を出力するカラーコントローラと、
前記第１光制御信号に基づいて前記第１光を出射するための第１光駆動電流を前記第１領域に配置された複数の前記第１の発光素子に出力する第１駆動回路と、
前記第２光制御信号に基づいて前記第２光を出射するための第２光駆動電流を前記第１領域に配置された複数の前記第２の発光素子に出力する第２駆動回路と、
前記第３光制御信号に基づいて前記第３光を出射するための第３光駆動電流を前記第１領域に配置された複数の前記第３の発光素子に出力する第３駆動回路とを含むことを特徴とする請求項５記載の光発生装置。
【請求項８】
前記電源供給部は、前記第２領域に配置された複数の発光素子に駆動電流を供給する第２電源供給ユニットを含み、
前記第２電源供給ユニットは、前記第１乃至第３光感知信号が入力されデジタル変換して第１乃至第３光感知データを出力するアナログ／デジタル変換器と、
前記デジタル変換された第１光感知データ、第２光感知データ、及び第３光感知データに基づいて第１光制御信号、第２光制御信号、及び第３光制御信号を出力するカラーコントローラと、
前記第１光制御信号に基づいて前記第１光を出射するための第１光駆動電流を前記第２領域に配置された複数の前記第１の発光素子に出力する第１駆動回路と、
前記第２光制御信号に基づいて前記第２光を出射するための第２光駆動電流を前記第２領域に配置された複数の前記第２の発光素子に出力する第２駆動回路と、
前記第３光制御信号に基づいて前記第３光を出射するための第３光駆動電流を前記第２領域に配置された複数の前記第３の発光素子に出力する第３駆動回路とを含むことを特徴とする請求項７に記載の光発生装置。
【請求項９】
前記電源供給部は、前記第３領域に配置された複数の発光素子に駆動電流を供給する第３電源供給ユニットを含み、
前記第３電源供給ユニットは、前記第１乃至第３光感知信号が入力されデジタル変換して第１乃至第３光感知データを出力するアナログ／デジタル変換器と、
デジタル変換された第１光感知データを減衰する第２減衰器と、
デジタル変換された第２光感知データを増幅する第２増幅器と、
前記減衰された第１光感知データ、前記第３光感知データ、及び前記増幅された第２光感知データに基づいて第１光制御信号、第２光制御信号、及び第３光制御信号を出力するカラーコントローラと、
前記第１光制御信号に基づいて前記第１光を出射するための第１光駆動電流を前記第３領域に配置された複数の前記第１の発光素子に出力する第１駆動回路と、
前記第２光制御信号に基づいて前記第２光を出射するための第２光駆動電流を前記第３領域に配置された複数の前記第２の発光素子に出力する第２駆動回路と、
前記第３光制御信号に基づいて前記第３光を出射するための第３光駆動電流を前記第３領域に配置された複数の前記第３の発光素子に出力する第３駆動回路とを含むことを特徴とする請求項８に記載の光発生装置。
【請求項１０】
ゲート線と並行する方向に延長される短冊状の複数の回路基板によって構成され、互いに異なる波長を有する第１光及び第２光をそれぞれを出射する第１領域と、前記第１光及び第２光をそれぞれを出射する第２領域とを含む発光部と、前記発光部に電流を印加し、前記第１領域から出射される第１光と前記第２領域から出射される第１光、及び前記第１領域から出射される第２光と前記第２領域から出射される第２光を出射するためにそれぞれに互いに異なる電流を前記発光部に印加する電源供給部とを有し、前記第１領域と第２領域の内の一つは発光部の最外郭領域であり、前記発光部の回路基板の各々は、複数の光学クラスタ（ｏｐｔｉｃａｌ  ｃｌｕｓｔｅｒ）を含み、各々の光学クラスタは前記第１光を出射する第１の発光素子と前記第２光を出射する第２の発光素子とを含んでグルーピングされ一つの光学クラスタとして定義され、前記発光部の最外郭領域に位置する前記回路基板の光学クラスタ内の１つに受光部が形成され、前記第１光の輝度に対応する第１光感知信号及び前記第２光の輝度に対応する第２光感知信号を前記電源供給部に提供する光学センサをさらに有し、前記第１光を出射する第１の発光素子は、前記第２光を出射する第２の発光素子より最外郭領域に配置され、前記電源供給部は、前記第１及び第２領域の内の最外郭領域に配置された複数の発光素子に駆動電流を供給する第１電源供給ユニットを含み、前記第１電源供給ユニットは、前記第１及び第２光感知信号が入力されデジタル変換して第１光感知データ及び第２光感知データを出力するアナログ／デジタル変換器と、前記第１光感知データを増幅する第１増幅器と、前記第２光感知データを減衰する第１減衰器と、前記増幅された第１光感知データ及び前記減衰された第２光感知データに基づいて第１光制御信号及び第２光制御信号を出力するカラーコントローラと、前記第１光制御信号に基づいて前記第１光を出射するための第１光駆動電流を前記最外郭領域に配置された複数の前記第１の発光素子に出力する第１駆動回路と、前記第２光制御信号に基づいて前記第２光を出射するための第２光駆動電流を前記最外郭領域に配置された複数の前記第２の発光素子に出力する第２駆動回路とを含む光発生装置と、
第１基板と、第２基板と、前記第１基板と第２基板との間に介在される液晶層とを含み、前記発光部から提供される第１光及び第２光を用いて画像を表示する液晶表示パネルとを有することを特徴とする液晶表示装置。
【請求項１１】
前記発光部は、互いに異なる波長を有する第１光及び第２光をそれぞれを出射する第３領域をさらに含み、
前記第３領域は、前記発光部の最外郭領域に配置された第１領域または第２領域と対向する最外郭領域に配置されることを特徴とする請求項１０に記載の液晶表示装置。
【請求項１２】
前記第１乃至第３領域のそれぞれに前記複数の光学クラスタが配置され、
前記発光部の最外郭領域に配置された光学クラスタは、最外郭領域縁部に配置される第１の発光素子と、前記第１の発光素子と対向する第２の発光素子とを含み、
前記発光部の一方の最外郭領域に配置された光学クラスタの前記第１の発光素子は相対的に低い駆動電流によって駆動され、前記第２の発光素子は相対的に高い駆動電流によって駆動され、
前記発光部の他方の最外郭領域に配置された光学クラスタの前記第１の発光素子は相対的に高い駆動電流によって駆動され、前記第２の発光素子は相対的に低い駆動電流によって駆動されることを特徴とする請求項１１に記載の液晶表示装置。
【請求項１３】
ゲート線と並行する方向に延長される短冊状の複数の回路基板によって構成され、表示パネルの第１最外郭部に赤色光、青色光、及び緑色光をそれぞれを出射する第１領域と、前記表示パネルの中央部に前記第１領域に隣接して、赤色光、青色光、及び緑色光をそれぞれを出射する第２領域と、前記第１最外郭部の反対側に配置される前記表示パネルの第２最外郭部に前記第２領域を基準にして前記第１領域の反対側に配置され、赤色光、青色光、及び緑色光をそれぞれを出射する第３領域とを含む発光部と、前記発光部に電流を印加し、前記第１領域から出射される赤色光と前記第２領域から出射される赤色光、及び前記第１領域から出射される青色光と前記第２領域から出射される青色光を出射するためにそれぞれに互いに異なる電流を前記発光部に印加する電源供給部とを有し、前記第１領域と第３領域は発光部の最外郭領域であり、前記第２領域は、前記第１領域と第３領域との間に介在する中間領域であり、前記発光部の最外郭領域の一部に受光部が形成され前記赤色光の輝度に対応する赤色光感知信号及び前記青色光の輝度に対応する青色光感知信号を前記電源供給部に提供する光学センサをさらに有し、前記赤色光を出射する第１の発光素子は、前記青色光を出射する第２の発光素子より最外郭領域に配置され、前記電源供給部は、前記第１領域に配置された複数の発光素子に駆動電流を供給する第１電源供給ユニットを含み、前記第１電源供給ユニットは、前記赤色光及び青色光感知信号が入力されデジタル変換して赤色光感知データ及び青色光感知データを出力するアナログ／デジタル変換器と、前記赤色光感知データを増幅する第１増幅器と、前記青色光感知データを減衰する第１減衰器と、前記増幅された赤色光感知データ及び前記減衰された青色光感知データに基づいて赤色光制御信号及び青色光制御信号を出力するカラーコントローラと、前記赤色光制御信号に基づいて前記赤色光を出射するための赤色光駆動電流を前記最外郭領域に配置された複数の前記第１の発光素子に出力する第１駆動回路と、前記青色光制御信号に基づいて前記青色光を出射するための青色光駆動電流を前記最外郭領域に配置された複数の前記第２の発光素子に出力する第２駆動回路とを含む光発生装置と、第１基板と、第２基板と、前記第１基板と第２基板との間に介在される液晶層とを含み、前記発光部から提供される赤色光、青色光、及び緑色光を用いて画像を表示する液晶表示パネルと、タイミング制御部と、データ駆動部と、ゲート駆動部とを有する表示装置の表示パネルの色再現性を向上させる方法であって、
前記第１領域から前記第１最外郭部に提供される赤色光の強度を減少させる段階と、
前記第１領域から前記第１最外郭部に提供される青色光の強度を増加させる段階と、
前記第２領域から前記中央部に提供される赤色光及び青色光の強度を保持させる段階と、
前記第３領域から前記第２最外郭部に提供される赤色光の強度を増加させる段階と、
前記第３領域から前記第２最外郭部に提供される青色光の強度を減少させる段階とを有することを特徴とする表示装置の表示パネルの色再現性を向上させる方法。
【請求項１４】
前記タイミング制御部から電流制御信号を、前記光学センサから前記赤色光感知信号及び青色光感知信号をそれぞれ前記電源供給部に印加する段階と、
前記電流制御信号及び前記赤色光感知信号及び青色光感知信号に基づいて前記電源供給部から前記発光部の前記第１、第２、及び第３領域に赤色光駆動電流及び青色光駆動電流を伝達する段階とをさらに有し、
前記第１領域から前記第１最外郭部に提供される前記赤色光の強度を減少させる段階は前記電源供給部から提供される第１赤色光駆動電流に基づいて実施され、
前記第１領域から前記第１最外郭部に提供される前記青色光の強度を増加させる段階は前記電源供給部から提供される第１青色光駆動電流に基づいて実施され、
前記第２領域から前記中央部に提供される前記赤色光及び前記青色光の強度を保持させる段階は前記電源供給部から提供される第２赤色光駆動電流及び第２青色光駆動電流に基づいて実施され、
前記第３領域から前記第２最外郭部に提供される前記赤色光の強度を増加させる段階は前記電源供給部から提供される第３赤色光駆動電流に基づいて実施され、
前記第３領域から前記第２最外郭部に提供される青色光の強度を減少させる段階は前記電源供給部から提供される第３青色光駆動電流に基づいて実施されることを特徴とする請求項１３記載の表示装置の表示パネルの色再現性を向上させる方法。
【発明の詳細な説明】
【技術分野】
【０００１】
本発明は光発生装置とそれを有する液晶表示装置並びに表示装置の表示パネルの色再現性を向上させる方法に関し、より詳細には上下色偏差補償機能を有する光発生装置とそれを有する液晶表示装置並びに表示装置の表示パネルの色再現性を向上させる方法に関する。
【背景技術】
【０００２】
一般的に、発光ダイオードを含むバックライトユニットは冷陰極蛍光ランプ（ＣＣＦＬ）を含むバックライトユニットより優れた色表現力を有する。
【０００３】
発光ダイオードを含むバックライトユニットで、一つの光学クラスタ（ｏｐｔｉｃａｌ  ｃｌｕｓｔｅｒ）は３原色ＬＥＤによって定義される。複数の光学クラスタは金属ＰＣＢ（ｍｅｔａｌ  ｐｒｉｎｔｅｄ  ｃｉｒｃｕｉｔ  ｂｏａｒｄ）に付着され３種類の光を混合して液晶表示パネルに供給する。
【０００４】
しかし、均等に混合されない光が液晶表示パネルの最上端領域及び最下端領域に存在するという問題点がある。
【０００５】
例えば、ＬＥＤから発射された光が拡散されても最上端にはレッドＬＥＤが配置され、最下端にはブルーＬＥＤが配置される。従って、液晶表示パネルの最上端領域には赤い感じの画像が表示され、液晶表示パネルの最下端領域には青い感じの画像が表示されるという問題点がある。
【発明の開示】
【発明が解決しようとする課題】
【０００６】
そこで、本発明は上記従来のバックライトユニットにおける問題点に鑑みてなされたものであって、本発明の目的は、最上端及び最下端で発生する上下色偏差を補償する機能を有する光発生装置を提供することにある。
【０００７】
本発明の他の目的は上記光発生装置を有する液晶表示装置を提供することにある。
【０００８】
本発明のさらに他の目的は、色再現性を向上させる方法を提供することにある。
【課題を解決するための手段】
【０００９】
上記目的を達成するためになされた本発明による光発生装置は、表示装置の光発生装置であって、ゲート線と並行する方向に延長される短冊状の複数の回路基板によって構成され、互いに異なる波長を有する第１光及び第２光をそれぞれを出射する第１領域と、前記第１光及び第２光をそれぞれを出射する第２領域とを含む発光部と、前記発光部に電流を印加し、前記第１領域から出射される第１光と前記第２領域から出射される第１光、及び前記第１領域から出射される第２光と前記第２領域から出射される第２光を出射するためにそれぞれに互いに異なる電流を前記発光部に印加する電源供給部とを有し、前記第１領域と第２領域の内の一つは発光部の最外郭領域であり、前記発光部の回路基板の各々は、複数の光学クラスタ（ｏｐｔｉｃａｌ  ｃｌｕｓｔｅｒ）を含み、各々の光学クラスタは前記第１光を出射する第１の発光素子と前記第２光を出射する第２の発光素子とを含んでグルーピングされ一つの光学クラスタとして定義され、前記発光部の最外郭領域に位置する前記回路基板の光学クラスタ内の１つに受光部が形成され、前記第１光の輝度に対応する第１光感知信号及び前記第２光の輝度に対応する第２光感知信号を前記電源供給部に提供する光学センサをさらに有し、前記第１光を出射する第１の発光素子は、前記第２光を出射する第２の発光素子より最外郭領域に配置され、前記電源供給部は、前記第１及び第２領域の内の最外郭領域に配置された複数の発光素子に駆動電流を供給する第１電源供給ユニットを含み、
前記第１電源供給ユニットは、前記第１及び第２光感知信号が入力されデジタル変換して第１光感知データ及び第２光感知データを出力するアナログ／デジタル変換器と、前記第１光感知データを増幅する第１増幅器と、前記第２光感知データを減衰する第１減衰器と、前記増幅された第１光感知データ及び前記減衰された第２光感知データに基づいて第１光制御信号及び第２光制御信号を出力するカラーコントローラと、前記第１光制御信号に基づいて前記第１光を出射するための第１光駆動電流を前記最外郭領域に配置された複数の前記第１の発光素子に出力する第１駆動回路と、前記第２光制御信号に基づいて前記第２光を出射するための第２光駆動電流を前記最外郭領域に配置された複数の前記第２の発光素子に出力する第２駆動回路とを含むことを特徴とする。
【００１０】
前記電源供給部は、前記第１及び第２領域の内の最外郭に対応しない領域に配置された複数の発光素子に駆動電流を供給する第２電源供給ユニットを含み、前記第２電源供給ユニットは、前記第１及び第２光感知信号が入力されデジタル変換して第１光感知データ及び第２光感知データを出力するアナログ／デジタル変換器と、前記第１及び第２光感知データに基づいて第１光制御信号及び第２光制御信号を出力するカラーコントローラと、前記第１光制御信号に基づいて前記第１光を出射するための第１光駆動電流を前記最外郭に対応しない領域に配置された複数の前記第１の発光素子に出力する第１駆動回路と、前記第２光制御信号に基づいて前記第２光を出射するための第２光駆動電流を前記最外郭に対応しない領域に配置された複数の前記第２の発光素子に出力する第２駆動回路とを含むことが好ましい。
【００１１】
前記発光部は、互いに異なる波長を有する第１光及び第２光をそれぞれを出射する第３領域をさらに含み、前記第３領域は、前記発光部の最外郭領域に配置された第１領域または第２領域と対向する最外郭領域に配置されることが好ましい。前記電源供給部は、前記第３領域に配置された複数の発光素子に駆動電流を供給する第３電源供給ユニットを含み、前記第３電源供給ユニットは、前記第１及び第２光感知信号が入力されデジタル変換して第１光感知データ及び第２光感知データを出力するアナログ／デジタル変換器と、前記第１光感知データを減衰する第２減衰器と、前記第２光感知データを増幅する第２増幅器と、前記減衰された第１光感知データ及び前記増幅された第２光感知データに基づいて第１光制御信号及び第２光制御信号を出力するカラーコントローラと、前記第１光制御信号に基づいて前記第１光を出射するための第１光駆動電流を前記第３領域に配置された複数の前記第１の発光素子に出力する第１駆動回路と、前記第２光制御信号に基づいて前記第２光を出射するための第２光駆動電流を前記第３領域に配置された複数の前記第２の発光素子に出力する第２駆動回路とを含むことが好ましい。
前記発光部の第１領域及び第２領域のそれぞれは、前記第１光及び第２光とは相異した波長を有する第３光をさらに出射することが好ましい。
前記光学センサは、前記第３光の輝度に対応する第３光感知信号を前記電源供給部に、さらに供給することが好ましい。
前記発光部は、互いに異なる波長の前記第１光、第２光及び第３光をそれぞれを出射する第３領域をさらに含み、前記第１及び第３領域は最外郭領域に配置され、前記第２領域は中間領域に配置され、前記発光部は、前記第１光を出射し第１又は第３領域の前記回路基板の一方の最縁部に隣接する第１の発光素子と、前記第３光を出射し第１又は第３領域の前記回路基板の中央に位置する第３の発光素子と、前記第２光を出射し第１又は第３領域の前記回路基板の他方の最縁部に隣接する第２の発光素子とを含み、前記電源供給部は、前記第１領域に配置された複数の発光素子に駆動電流を供給する第１電源供給ユニットを含み、前記第１電源供給ユニットは、前記第１乃至第３光感知信号が入力されデジタル変換して第１光感知データ、第２光感知データ及び第３光感知データを出力するアナログ／デジタル変換器と、前記第１光感知データを増幅する第１増幅器と、前記第２光感知データを減衰する第１減衰器と、前記増幅された第１光感知データ、前記第３光感知データ及び前記減衰された第２光感知データに基づいて第１光制御信号、第２光制御信号及び第３光制御信号を出力するカラーコントローラと、前記第１光制御信号に基づいて前記第１光を出射するための第１光駆動電流を前記第１領域に配置された複数の前記第１の発光素子に出力する第１駆動回路と、前記第２光制御信号に基づいて前記第２光を出射するための第２光駆動電流を前記第１領域に配置された複数の前記第２の発光素子に出力する第２駆動回路と、前記第３光制御信号に基づいて前記第３光を出射するための第３光駆動電流を前記第１領域に配置された複数の前記第３の発光素子に出力する第３駆動回路とを含むことを特徴とするが好ましい。
【００１２】
前記電源供給部は、前記第２領域に配置された複数の発光素子に駆動電流を供給する第２電源供給ユニットを含み、前記第２電源供給ユニットは、前記第１乃至第３光感知信号が入力されデジタル変換して第１乃至第３光感知データを出力するアナログ／デジタル変換器と、前記デジタル変換された第１光感知データ、第２光感知データ、及び第３光感知データに基づいて第１光制御信号、第２光制御信号、及び第３光制御信号を出力するカラーコントローラと、前記第１光制御信号に基づいて前記第１光を出射するための第１光駆動電流を前記第２領域に配置された複数の前記第１の発光素子に出力する第１駆動回路と、前記第２光制御信号に基づいて前記第２光を出射するための第２光駆動電流を前記第２領域に配置された複数の前記第２の発光素子に出力する第２駆動回路と、前記第３光制御信号に基づいて前記第３光を出射するための第３光駆動電流を前記第２領域に配置された複数の前記第３の発光素子に出力する第３駆動回路とを含むことが好ましい。
前記電源供給部は、前記第３領域に配置された複数の発光素子に駆動電流を供給する第３電源供給ユニットを含み、前記第３電源供給ユニットは、前記第１乃至第３光感知信号が入力されデジタル変換して第１乃至第３光感知データを出力するアナログ／デジタル変換器と、デジタル変換された第１光感知データを減衰する第２減衰器と、デジタル変換された第２光感知データを増幅する第２増幅器と、前記減衰された第１光感知データ、前記第３光感知データ、及び前記増幅された第２光感知データに基づいて第１光制御信号、第２光制御信号、及び第３光制御信号を出力するカラーコントローラと、前記第１光制御信号に基づいて前記第１光を出射するための第１光駆動電流を前記第３領域に配置された複数の前記第１の発光素子に出力する第１駆動回路と、前記第２光制御信号に基づいて前記第２光を出射するための第２光駆動電流を前記第３領域に配置された複数の前記第２の発光素子に出力する第２駆動回路と、前記第３光制御信号に基づいて前記第３光を出射するための第３光駆動電流を前記第３領域に配置された複数の前記第３の発光素子に出力する第３駆動回路とを含むことが好ましい。
【００１３】
上記目的を達成するためになされた本発明による液晶表示装置は、ゲート線と並行する方向に延長される短冊状の複数の回路基板によって構成され、互いに異なる波長を有する第１光及び第２光をそれぞれを出射する第１領域と、前記第１光及び第２光をそれぞれを出射する第２領域とを含む発光部と、前記発光部に電流を印加し、前記第１領域から出射される第１光と前記第２領域から出射される第１光、及び前記第１領域から出射される第２光と前記第２領域から出射される第２光を出射するためにそれぞれに互いに異なる電流を前記発光部に印加する電源供給部とを有し、前記第１領域と第２領域の内の一つは発光部の最外郭領域であり、前記発光部の回路基板の各々は、複数の光学クラスタ（ｏｐｔｉｃａｌ  ｃｌｕｓｔｅｒ）を含み、各々の光学クラスタは前記第１光を出射する第１の発光素子と前記第２光を出射する第２の発光素子とを含んでグルーピングされ一つの光学クラスタとして定義され、前記発光部の最外郭領域に位置する前記回路基板の光学クラスタ内の１つに受光部が形成され、前記第１光の輝度に対応する第１光感知信号及び前記第２光の輝度に対応する第２光感知信号を前記電源供給部に提供する光学センサをさらに有し、前記第１光を出射する第１の発光素子は、前記第２光を出射する第２の発光素子より最外郭領域に配置され、前記電源供給部は、前記第１及び第２領域の内の最外郭領域に配置された複数の発光素子に駆動電流を供給する第１電源供給ユニットを含み、前記第１電源供給ユニットは、前記第１及び第２光感知信号が入力されデジタル変換して第１光感知データ及び第２光感知データを出力するアナログ／デジタル変換器と、前記第１光感知データを増幅する第１増幅器と、前記第２光感知データを減衰する第１減衰器と、前記増幅された第１光感知データ及び前記減衰された第２光感知データに基づいて第１光制御信号及び第２光制御信号を出力するカラーコントローラと、前記第１光制御信号に基づいて前記第１光を出射するための第１光駆動電流を前記最外郭領域に配置された複数の前記第１の発光素子に出力する第１駆動回路と、前記第２光制御信号に基づいて前記第２光を出射するための第２光駆動電流を前記最外郭領域に配置された複数の前記第２の発光素子に出力する第２駆動回路とを含む光発生装置と、第１基板と、第２基板と、前記第１基板と第２基板との間に介在される液晶層とを含み、前記発光部から提供される第１光及び第２光を用いて画像を表示する液晶表示パネルとを有することを特徴とする。
【００１４】
前記発光部は、互いに異なる波長を有する第１光及び第２光をそれぞれを出射する第３領域をさらに含み、前記第３領域は、前記発光部の最外郭領域に配置された第１領域または第２領域と対向する最外郭領域に配置されることが好ましい。
前記第１乃至第３領域のそれぞれに前記複数の光学クラスタが配置され、前記発光部の最外郭領域に配置された光学クラスタは、最外郭領域縁部に配置される第１の発光素子と、前記第１の発光素子と対向する第２の発光素子とを含み、前記発光部の一方の最外郭領域に配置された光学クラスタの前記第１の発光素子は相対的に低い駆動電流によって駆動され、前記第２の発光素子は相対的に高い駆動電流によって駆動され、前記発光部の他方の最外郭領域に配置された光学クラスタの前記第１の発光素子は相対的に高い駆動電流によって駆動され、前記第２の発光素子は相対的に低い駆動電流によって駆動されることが好ましい。
【００１５】
上記目的を達成するためになされた本発明による表示装置の表示パネルの色再現性を向上させる方法は、ゲート線と並行する方向に延長される短冊状の複数の回路基板によって構成され、表示パネルの第１最外郭部に赤色光、青色光、及び緑色光をそれぞれを出射する第１領域と、前記表示パネルの中央部に前記第１領域に隣接して、赤色光、青色光、及び緑色光をそれぞれを出射する第２領域と、前記第１最外郭部の反対側に配置される前記表示パネルの第２最外郭部に前記第２領域を基準にして前記第１領域の反対側に配置され、赤色光、青色光、及び緑色光をそれぞれを出射する第３領域とを含む発光部と、前記発光部に電流を印加し、前記第１領域から出射される赤色光と前記第２領域から出射される赤色光、及び前記第１領域から出射される青色光と前記第２領域から出射される青色光を出射するためにそれぞれに互いに異なる電流を前記発光部に印加する電源供給部とを有し、前記第１領域と第３領域は発光部の最外郭領域であり、前記第２領域は、前記第１領域と第３領域との間に介在する中間領域であり、前記発光部の最外郭領域の一部に受光部が形成され前記赤色光の輝度に対応する赤色光感知信号及び前記青色光の輝度に対応する青色光感知信号を前記電源供給部に提供する光学センサをさらに有し、前記赤色光を出射する第１の発光素子は、前記青色光を出射する第２の発光素子より最外郭領域に配置され、前記電源供給部は、前記第１領域に配置された複数の発光素子に駆動電流を供給する第１電源供給ユニットを含み、前記第１電源供給ユニットは、前記赤色光及び青色光感知信号が入力されデジタル変換して赤色光感知データ及び青色光感知データを出力するアナログ／デジタル変換器と、前記赤色光感知データを増幅する第１増幅器と、前記青色光感知データを減衰する第１減衰器と、前記増幅された赤色光感知データ及び前記減衰された青色光感知データに基づいて赤色光制御信号及び青色光制御信号を出力するカラーコントローラと、前記赤色光制御信号に基づいて前記赤色光を出射するための赤色光駆動電流を前記最外郭領域に配置された複数の前記第１の発光素子に出力する第１駆動回路と、前記青色光制御信号に基づいて前記青色光を出射するための青色光駆動電流を前記最外郭領域に配置された複数の前記第２の発光素子に出力する第２駆動回路とを含む光発生装置と、第１基板と、第２基板と、前記第１基板と第２基板との間に介在される液晶層とを含み、前記発光部から提供される赤色光、青色光、及び緑色光を用いて画像を表示する液晶表示パネルと、タイミング制御部と、データ駆動部と、ゲート駆動部とを有する表示装置の表示パネルの色再現性を向上させる方法であって、前記第１領域から前記第１最外郭部に提供される赤色光の強度を減少させる段階と、前記第１領域から前記第１最外郭部に提供される青色光の強度を増加させる段階と、前記第２領域から前記中央部に提供される赤色光及び青色光の強度を保持させる段階と、前記第３領域から前記第２最外郭部に提供される赤色光の強度を増加させる段階と、前記第３領域から前記第２最外郭部に提供される青色光の強度を減少させる段階とを有することを特徴とする。
【００１６】
前記タイミング制御部から電流制御信号を、前記光学センサから前記赤色光感知信号及び青色光感知信号をそれぞれ前記電源供給部に印加する段階と、前記電流制御信号及び前記赤色光感知信号及び青色光感知信号に基づいて前記電源供給部から前記発光部の前記第１、第２、及び第３領域に赤色光駆動電流及び青色光駆動電流を伝達する段階とをさらに有し、前記第１領域から前記第１最外郭部に提供される前記赤色光の強度を減少させる段階は前記電源供給部から提供される第１赤色光駆動電流に基づいて実施され、前記第１領域から前記第１最外郭部に提供される前記青色光の強度を増加させる段階は前記電源供給部から提供される第１青色光駆動電流に基づいて実施され、前記第２領域から前記中央部に提供される前記赤色光及び前記青色光の強度を保持させる段階は前記電源供給部から提供される第２赤色光駆動電流及び第２青色光駆動電流に基づいて実施され、前記第３領域から前記第２最外郭部に提供される前記赤色光の強度を増加させる段階は前記電源供給部から提供される第３赤色光駆動電流に基づいて実施され、前記第３領域から前記第２最外郭部に提供される青色光の強度を減少させる段階は前記電源供給部から提供される第３青色光駆動電流に基づいて実施されることが好ましい。
【発明の効果】
【００１７】
本発明に係る光発生装置とそれを有する液晶表示装置並びに表示装置の表示パネルの色再現性を向上させる方法によれば、液晶表示パネルの最上端及び最下端の部位によって色相別供給する電流の比を差等的に適用することで、輝度を補償または差減して色偏差を補償するという効果がある。
【００１８】
つまり、本発明によれば、３原色ＬＥＤをバックライトユニットとして使用する場合、最上端及び最下端に発生される帯模様の色偏差を除去することができる。即ち、光発生ユニットの下端部に対応する液晶表示パネルに発生される青みがかった画像を除去し、光発生ユニットの上端部に対応する液晶表示パネルに発生されるやや赤い画像を除去する。
それにより、光発生ユニットに対応する液晶表示パネルには下端部及び上端部とは無関に実質的に均一な強度を有する光によって均一なカラー画像が表示されるという効果がある。
【発明を実施するための最良の形態】
【００１９】
次に、本発明に係る光発生装置とそれを有する液晶表示装置並びに表示装置の表示パネルの色再現性を向上させる方法を実施するための最良の形態の具体例を図面を参照しながら説明する。
【００２０】
図１は、本発明の一実施形態による液晶表示装置を説明するための分解斜視図である。図２は図１に示す光発生ユニットの平面図である。
【００２１】
図１及び図２を参照すると、本発明の一実施形態による液晶表示装置は、収納容器１００、光発生ユニット２００及び表示ユニット３００を含む。
【００２２】
収納容器１００は、光発生ユニット２００を収納するために、底部１１０及び底部１１０の端部位から延長され収納空間を定義する側部１２０を含む。収納容器１００は、一例として、強度に優れて変形の少ない金属を含む。
【００２３】
光発生ユニット２００は、収納容器１００の底部１１０上に配置される。光発生ユニット２００は複数の回路基板２１０及び回路基板２１０それぞれに配置された複数の光学クラスタ２２０を含んで光を発生する。
【００２４】
光発生ユニット２００は、表示ユニット３００の背面に配置されバックライトアセンブリを定義する。光学クラスタ２２０それぞれは互いに異なる光を出射する複数の発光素子を含む。本実施形態において、光学クラスタ２２０それぞれは、レッド光を出射するレッド発光素子２２１、グリーン光を出射する第１グリーン発光素子２２２、グリーン光を出射する第２グリーン発光素子２２３、及びブルー光を出射するブルー発光素子２２４を含む。発光素子それぞれは光を発生するＬＥＤ（図示せず）及びＬＥＤを取り囲み、ＬＥＤから出射された光を拡散する光学レンズ（図示せず）を含む。
【００２５】
例えば、レッド発光素子２２１はレッド光を発生するレッドＬＥＤ及びレッドＬＥＤを取り囲み、レッド光を拡散する第１光学レンズを含む。第１グリーン発光素子２２２は第１グリーン光を発生する第１グリーンＬＥＤ及び第１グリーンＬＥＤを取り囲み、第１グリーン光を拡散する第２光学レンズを含む。第２グリーン発光素子２２３は第２グリーン光を発生する第２グリーンＬＥＤ及び第２グリーンＬＥＤを取り囲み、第２グリーン光を拡散する第３光学レンズを含む。ブルー発光素子２２４はブルー光を発生するブルーＬＥＤ及びブルーＬＥＤを取り囲み、ブルー光を拡散する第４光学レンズを含む。
【００２６】
図１及び図２では、光学クラスタ２２０が一つのレッド発光素子２２１、２つのグリーン発光素子（２２２、２２３）及び一つのブルー発光素子２２４を含むことを説明したが、光学クラスタが一つのレッド発光素子、一つのグリーン発光素子、及び一つのブルー発光素子を含むこともできる。この際、レッド、グリーン、及びブルー発光素子（２２１、２２２、２２３、２２４）の配列は図に示した光学クラスタ２２０と異なって多様な配列を有することもできる。
【００２７】
回路基板２１０は一定の間隔で離隔され互いに並行に配置される。この際、互いに隣接した光発生ユニット２００の上に配置された光学クラスタ２２０は、ジグザグ形態に配置される。即ち、一つの回路基板２１０に含まれる光学クラスタ２２０は、隣接した回路基板２１０に含まれる光学クラスタ２２０の間に配置される。この際、光学クラスタ２２０と回路基板２１０の配列は多様に変更されることもできる。
【００２８】
光発生ユニット２００は受光構造体２３０を含む。受光構造体２３０は透明の材質からなる。受光構造体２３０は、一例として、ポリメチルメタアクリレート（ＰＭＭＡ）、ポリカーボネート（ＰＣ）等の材質を含む。受光構造体２３０は、光学クラスタ２２０のうち一つの光学クラスタの中心部に配置され、前記一つの光学クラスタで発生した光を受信する。受光構造体２３０は表示ユニット３００の最外郭領域に配置されることが望ましい。
【００２９】
光発生ユニット２００は、発生したレッド、グリーン及びブルー光それぞれを感知する光学センサ２４０をさらに含む。図１で、光学センサ２４０が受光構造体２３０と一定間隔離隔したこととして示したが、光学センサ２４０は受光構造体２３０の縦端部に配置されてもよく、受光構造体２３０を経由するレッド光、グリーン光及びブルー光を感知し、感知されたレッド光、グリーン光及びブルー光を電圧に変換する。
【００３０】
一例として、光学クラスタ２２０は一つの回路基板２１０上に複数の列に配置された構造を有し、回路基板２１０は収納容器１００の収納空間内で底部１１０上に配置されることができる。また、他の一例では、回路基板２１０は収納容器１００の外部に配置され、光学クラスタ２２０のみ収納容器１００の内部に底部１１０に形成された開口を介して挿入された構造を有することもできる。
【００３１】
表示ユニット３００は光発生ユニット２００から供給される光を用いて画像を表示する液晶表示パネル３１０及び液晶表示装置を駆動するための駆動回路部３２０を含む。
【００３２】
液晶表示パネル３１０は第１基板３１２、第１基板３１２と対向して結合される第２基板３１４及び第１基板３１２と第２基板３１４との間に介在される液晶層（図示せず）を含む。第１基板３１２はスイッチング素子である薄膜トランジスタ（以下、ＴＦＴ）がマトリックス形態に形成されたＴＦＴ基板である。一例として、第１基板３１２はガラス材質からなる。ＴＦＴのソース端子及びゲート端子にはそれぞれデータライン及びゲートラインが連結され、ドレイン端子には透明な導電性材質からなる画素電極が連結される。第２基板３１４は色を具現するためのＲ、Ｇ、Ｂ画素が薄膜形態に形成されたカラーフィルタ基板である。第２基板３１４は一例として、ガラス材質からなる。第２基板３１４には透明な導電性材質からなる共通電極が形成される。
【００３３】
このような構成を有する液晶表示パネル３１０はＴＦＴのゲート端子に電源が供給されてＴＦＴがターンオンされると、画素電極と共通電極との間には電界が形成される。このような電界によって第１基板３１２と第２基板３１２の間に介在される液晶層の液晶分子の配列が変化し、液晶分子の配列変化によって光発生ユニット２００から供給される光の透過度が変更されて所望する階調の画像を表示するようになる。
【００３４】
他の実施形態において、液晶表示パネル３１０の構成要素が多様な配列を有することもできる。例えば、カラーフィルタを第１基板３１２上に配置することもでき、共通電極を第１基板３１２上に配置することもできる。
【００３５】
駆動回路部３２０は液晶表示パネル３１０にデータ駆動信号を供給するデータ印刷回路基板（ＰＣＢ）３２１、液晶表示パネル３１０にゲート駆動信号を供給するゲートＰＣＢ３２２、データＰＣＢ３２１を液晶表示パネル３１０に連結するデータ駆動回路フィルム３２３及びゲートＰＣＢ３２２を液晶表示パネル３１０に連結するゲート駆動回路フィルム３２４を含む。
【００３６】
データ駆動回路フィルム３２３及びゲート駆動回路フィルム３２４は例えば、テープキャリアパッケージ（ＴＣＰ）またはチップオンフィルム（ＣＯＦ）からなる。一方、ゲートＰＣＢ３２２は液晶表示パネル３１０及びゲート駆動回路フィルム３２４に別途の信号配線を形成することで、除去することもできる。
【００３７】
一方、液晶表示装置は光発生ユニット２００の発光のための駆動電圧を発生する電源供給装置４１０をさらに含む。電源供給装置４１０から発生した駆動電圧は第１電源線４１２を通じて光発生ユニット２００に供給される。
【００３８】
また、電源供給装置４１０は第２電源線２４２を介して光学センサ２４０から提供される光感知信号に基づいて光発生ユニット２００に差動駆動電圧（ａｄｊｕｓｔｅｄ  ｄｒｉｖｉｎｇ  ｖｏｌｔａｇｅ）を提供する。
【００３９】
例えば、光感知信号のレッド光成分が相対的に大きい場合、電源供給装置４１０は光発生ユニット２００の上端部の最外郭に配置されたレッド発光素子に相対的に小さい駆動電圧を提供し、グリーン発光素子に正常的な駆動電圧を提供し、ブルー発光素子に相対的に高い駆動電圧を提供する。
【００４０】
また、電源供給装置４１０は光発生ユニット２００の下端部の最外郭に配置されたブルー発光素子に相対的に高い駆動電圧を提供し、グリーン発光素子に正常的な駆動電圧を提供し、レッド発光素子に相対的に低い駆動電圧を提供する。
【００４１】
一方、光感知信号のレッド光成分が相対的に小さい場合、電源供給装置４１０は光発生ユニット２００の上端部の最外郭に配置されたレッド発光素子に相対的に大きい駆動電圧を提供し、グリーン発光素子に正常的な駆動電圧を提供し、ブルー発光素子に相対的に低い駆動電圧を提供する。
【００４２】
また、電源供給装置４１０は光発生ユニット２００の下端部の最外郭に配置されたブルー発光素子に相対的に低い駆動電圧を提供し、グリーン発光素子に正常的な駆動電圧を提供し、レッド発光素子に相対的に高い駆動電圧を提供する。
【００４３】
これにより、レッド光、グリーン光、及びブルー光のそれぞれは全体的に光の強度が均一になり液晶表示パネルの上下色偏差が補償される。
【００４４】
また、液晶表示装置は光発生ユニット２００の上部に配置される光学部材４２０をさらに含む。光学部材４２０はレッド光、グリーン光及びブルー光の完全な混合のために発光ダイオードと一定間隔以上に離隔されるように配置される。
【００４５】
光学部材４２０は、発光ダイオードから出射された光を拡散させる拡散板４２２及び拡散板４２２の上部に配置される光学シート４２４を含む。
【００４６】
拡散板４２２は発光ダイオードから出射される光を拡散させ光の輝度均一性を向上させる。拡散板４２２は所定の厚さを有するプレート形状を有する。拡散板４２２は、一例として、ポリメチルメタクリレート（ＰＭＭＡ）、ポリカーボネート（ＰＣ）等の材質から形成され、内部に光の拡散のための拡散剤を含むことができる。
【００４７】
光学シート４２４は、拡散板４２２を通じて拡散された光の経路を再度変更して光の輝度特性を向上させる。光学シート４２４は拡散板４２２を通じて拡散された光を正面方向に集光させ光の正面輝度を向上させるための集光シートを含むことができる。また、光学シート４２４は拡散板４２２を通じて拡散された光を再度拡散させるための拡散シートを含むことができる。また、液晶表示装置は要求される輝度特性によって多様な機能の光学シートをさらに含むことができる。
【００４８】
光学部材４２０下部に導光部材（図示せず）がさらに配置することができる。導光部材は光発生ユニット２００と所定間隔離隔されたところに配置される。導光部材は光発生ユニット２００から発生されるレッド光、グリーン光及びブルー光を混合して白色光を出射する。導光部材は、一例で、ポリメチルメタクリレート（ＰＭＭＡ）、ポリカーボネート（ＰＣ）等の材質を含む。
【００４９】
以上、説明したように、周期的に配列された複数のＲ、Ｇ、Ｂ発光ダイオードを有するバックライトアセンブリの最上端部に配列されたＲ、Ｇ、Ｂ発光ダイオードと最下端部に配列されたＲ、Ｇ、Ｂ発光ダイオードに差動駆動電圧を供給することで、光が均等に混合されなくて発生する表示不良を解決することができる。
【００５０】
図３に、上記した差動駆動電圧の供給を通じてカラー光の様子をグラフで示す。
【００５１】
図３は、一般的な電圧供給による光発生ユニットと本発明による差動駆動電圧供給による光発生ユニットの領域別カラー光の強度を示すグラフである。図３でＲ１、Ｇ１、Ｂ１それぞれは一般的な電圧供給による光発生ユニットの領域別レッド、グリーン及びブルー光の強度を示し、Ｒ２、Ｇ２、Ｂ２それぞれは本発明による差動駆動電圧供給による光発生ユニットの領域別カラー光の強度を示す。
【００５２】
図３を参照すると、一般的に光発生ユニットの領域とは無関係に均一な電圧が供給されると、ブルー光成分は光発生ユニットの下端部で相対的に強くて、レッド光成分は発生ユニットの上端部で相対的に強い。
【００５３】
グリーン光の場合、光発生ユニットの領域とは無関係に光の強度が均一である。しかし、ブルー光の場合、光発生ユニットの下端部で相対的に光の強度が大きく、光発生ユニットの上端部で相対的の光の強度が小さい。また、レッド光の場合、光発生ユニットの下端部で相対的に光の強度が小さく、光発生ユニットの上端部で相対的に光の強度が大きい。
【００５４】
これにより、光発生ユニットの下端部に対応する液晶表示パネルには青みがかった画像が表示され、光発生ユニットの上端部に対応する液晶表示パネルには赤みがかった（レディッシュ：ｒｅｄｄｉｓｈ）な画像が表示される。
【００５５】
しかし、本発明による差動駆動電圧を供給すると、グリーン光、ブルー光及びレッド光それぞれの場合において光の強度が均一である。
【００５６】
これにより、光発生ユニットに対応する液晶表示パネルには下端部及び上端部とは無関係に実質的に均一な強度を有する光によって均一なカラー画像が表示される。
【００５７】
図４は本発明の一実施形態による液晶表示装置を説明するためのブロック図である。
【００５８】
図４を参照すると、本発明の一実施形態による液晶表示装置は、タイミング制御部５１０、データ駆動部５２０、ゲート駆動部５３０、液晶表示パネル５４０及び光出射部５５０を含む。光出射部５５０は液晶表示パネル５４０の背面に配置され液晶表示パネル５４０に光を出射するバックライトアセンブリの機能を実施する。
【００５９】
タイミング制御部５１０はグラフィックコントローラのような外部装置から第１データ信号（ＤＡＴＡ１）、各種同期信号（Ｈｓｙｎｃ、Ｖｓｙｎｃ）、データイネイブル信号（ＤＥ）及びメインクロック（ＭＣＬＫ）の提供を受ける。ここで、Ｈｓｙｎｃは水平同期信号であり、Ｖｓｙｎｃは垂直同期信号である。
【００６０】
タイミング制御部５１０は第２データ信号（ＤＡＴＡ２）と、第２データ信号（ＤＡＴＡ２）の出力のためのデータ駆動信号（ＬＯＡＤ、ＳＴＨ）をデータ駆動部５２０に出力する。ここで、ＬＯＡＤは第２データ信号（ＤＡＴＡ２）の積載を指示する信号であり、ＳＴＨは一つの水平ラインのスタートを指示する水平開始信号である。
【００６１】
タイミング制御部５１０はゲート駆動信号（ＧＣＬＫ、ＳＴＶ）をゲート駆動部５３０に出力する。ここで、ＧＣＬＫはゲートクロックであり、ＳＴＶは１フレームのスタートを指示する垂直開始信号である。
【００６２】
タイミング制御部５１０は垂直開始信号ＳＴＶに応答して電流供給制御信号５１１を光出射部５５０に提供する。
【００６３】
データ駆動部５２０はタイミング制御部５１０から第２データ信号（ＤＡＴＡ２）を受信することにより、第２データ信号（ＤＡＴＡ２）をデータ電圧（画素電圧）に変更し、変更されたデータ電圧（Ｄ１、…、Ｄｍ）（ここで、ｍは自然数または３の倍数）を液晶表示パネル５４０のデータラインに供給する。
【００６４】
ゲート駆動部５３０はゲート駆動信号（ＧＣＬＫ、ＳＴＶ）に応答して液晶表示パネル５４０のゲートラインを活性化するゲート信号（Ｇ１、…、Ｇｎ）（ここで、ｎは自然数）を液晶表示パネル５４０のゲートラインに順次に供給する。
【００６５】
液晶表示パネル５４０はアレイ基板（図示せず）、アレイ基板に対向する対向基板（図示せず）及びアレイ基板と対向基板と間に介在される液晶層（図示せず）を含む。具体的には、アレイ基板はゲート信号（スキャン信号または走査信号）（Ｇ１、…、Ｇｎ）を伝達する複数のゲートラインと、データ電圧（Ｄ１、…、Ｄｍ）を伝達する複数のデータライン（ソースライン）と、互いに隣接するゲートライン及び互いに隣接するデータラインによって区画される領域に形成された画素部（図示せず）を含む。画素部はスイッチング素子（図示せず）とスイッチング素子に電気的に連結された画素電極（図示せず）を含む。対向基板は透明な基板、透明な基板に形成され画素電極に対向する共通電極（図示せず）及びカラーフィルタ層（図示せず）を含む。この際、液晶表示パネル５４０の構成要素は多様な配列を有することもできる。
【００６６】
光出射部５５０は光学センサ５５２、電源供給部５５４及び発光部５５６を含む。光出射部５５０はタイミング制御部５１０から提供される電流供給制御信号５１１に応答してレッド光、ゲート光及びブルー光を液晶表示パネル５４０に出射する。
【００６７】
具体的には、光学センサ５５２は光出射部５５０で発生したレッド、グリーン及びブルー光それぞれの強度を感知し、光感知信号５５３を電源供給部５５４に提供する。光感知信号５５３はレッド感知信号、グリーン感知信号及びブルー感知信号を含む。
【００６８】
電源供給部５５４は、電流供給制御信号５１１に応答してアッパー電流５５４Ｕ、ミドル電流５５４Ｍ及びロー電流５５４Ｌを発光部５５６に提供する。図示していないが、電源供給部５５４はゲートオン／オフ電圧（ＶＯＮ／ＶＯＦＦ）をゲート駆動部５３０に出力する。ゲートオン／オフ電圧（ＶＯＮ／ＶＯＦＦ）は液晶表示パネル５４０に形成されたスイッチング素子を正常的にターンオン／オフさせるレベルである。スイッチング素子はアモルファス−シリコン薄膜トランジスタ（ａ−Ｓｉ  ＴＦＴ）を含む。
【００６９】
発光部５５６は、アッパー発光部５５６Ｕ、ミドル発光部５５６Ｍ、及びロー発光部５５６Ｌを含む。発光部５５６は、液晶表示パネル５４０の背面に配置されてバックライトアセンブリを定義する。バックライトアセンブリを採用する液晶表示装置を用いる時、アッパー発光部５５６Ｕはミドル発光部５５６Ｍより高い領域に配置され、ロー発光部５５６Ｌはミドル発光部５５６Ｍより相対的に低い領域に配置される。例えば、ミドル発光部５５６Ｍがアッパー発光部５５６Ｕとロー発光部５５６Ｌとの間に配置される。
【００７０】
アッパー、ミドル、及びロー発光部５５６Ｕ、５５６Ｍ、５５６Ｌのそれぞれはレッド発光素子、グリーン発光素子及びブルー発光素子を含む。発光素子は発光ダイオードを含む。各アッパー、ミドル、ロー発光部５５６Ｕ、５５６Ｍ、５５６Ｌ内には多様な数のレッド、グリーン、ブルー発光素子を配置することができる。例えば、ミドル発光部５５６Ｍがアッパーまたはロー発光部の発光素子より多くの数の発光素子を有することもできる。
【００７１】
アッパー発光部５５６Ｕは、アッパー電流５５４Ｕに応答してレッド、グリーン、及びブルー光を液晶表示パネル５４０に提供する。ミドル発光部５５６Ｍは、ミドル電流５５４Ｍに応答してレッド、グリーン、及びブルー光を液晶表示パネル５４０に提供する。ロー発光部５５６Ｌは、ロー電流５５４Ｌに応答してレッド、グリーン、及びブルー光を液晶表示パネル５４０に提供する。
【００７２】
図５は、図４に示した電源供給部を説明するためのブロック図である。
【００７３】
図４及び図５を参照すると、電源供給部５５４はアッパー電源供給ユニット６１０、ミドル電源供給ユニット６２０及びロー電源供給ユニット６３０を含む。電源供給部５５４は光学センサ５５２から提供されるレッド光感知信号、グリーン光感知信号、及びブルー光感知信号とタイミング制御部５１０から提供される電流供給制御信号５１１に基づいてアッパー電源供給ユニット６１０、ミドル電源供給ユニット６２０、及びロー電源供給ユニット６３０に駆動電流を供給する。アッパー電流５５４Ｕはアッパー電源供給ユニット６１０から供給され、ミドル電流５５４Ｍはミドル電源供給ユニット６２０から供給され、ロー電流５５４Ｌはロー電源供給ユニット６３０から供給される。
【００７４】
アッパー電源供給ユニット６１０、ミドル電源供給ユニット６２０、及びロー電源供給ユニット６３０のそれぞれはアッパー発光部５５６Ｕ、ミドル発光部５５６Ｍ、及びレッド発光部５５６Ｌのそれぞれに駆動電流（５５４Ｕ、５５４Ｍ、５５４Ｌ）を供給する。アッパー発光部５５６Ｕは相対的に最上端に配置されたレッドＬＥＤを含み、ロー発光部５５６Ｌは相対的に最下端に配置されたブルーＬＥＤを含む。
【００７５】
アッパー電源供給部６１０は、アッパー発光部５５６Ｕの相対的に中間に配置されたグリーンＬＥＤに正常的なレベルの駆動電圧を供給し、相対的に上端に配置されたレッドＬＥＤに相対的に低いレベルの駆動電圧を供給する。アッパー電源供給部６１０はアッパー発光部５５６Ｕの相対的に下端に配置されたブルーＬＥＤに相対的に高いレベルの駆動電圧を供給する。
【００７６】
ロー電源供給部６３０は、ロー発光部５５６Ｌの相対的に中間に配置されたグリーンＬＥＤに正常的なレベルの駆動電圧を供給し、相対的に上端に配置されたレッドＬＥＤに相対的に高いレベルの駆動電圧を供給する。ロー電源供給部６３０はロー発光部５５６Ｌの相対的に下端に配置されたブルーＬＥＤに相対的に低いレベルの駆動電圧を供給する。
【００７７】
ミドル発光部５５６Ｍは、ミドル発光部５５６Ｍに配置されたレッドＬＥＤ，グリーンＬＥＤ、及びブルーＬＥＤに正常的なレベルの駆動電圧を供給する。
【００７８】
それにより、レッド光の強度は発光部５５６の下端部で相対的に大きくなり、上端部で相対的に小さくなって全体的に均一な強度のレッド光が出射される。
【００７９】
また、ブルー光の強度は発光部５５６の下端部で相対的に小さくなり、上端部で相対的に大きくなって全体的に均一な強度のブルー光が出射される。
【００８０】
図６は、図５に示したアッパー電源供給ユニットを説明するためのブロック図である。
【００８１】
図６を参照すると、アッパー電源供給ユニット６１０は、アナログ／デジタル（Ａ／Ｄ）変換器６１１、第１増幅器６１２、第１減衰器６１３、カラーコントローラ６１４、レッドＬＥＤ駆動回路６１５、グリーンＬＥＤ駆動回路６１６、及びブルーＬＥＤ駆動回路６１７を含む。レッドＬＥＤ駆動回路６１５、グリーンＬＥＤ駆動回路６１６、及びブルーＬＥＤ駆動回路６１７のそれぞれはアッパーレッドＬＥＤ（５５６ＵＲ）、アッパーグリーンＬＥＤ（５５６ＵＧ）及びアッパーブルーＬＥＤ（５５６ＵＢ）に電気的に接続される。
【００８２】
アナログ／デジタル変換器６１１は、光学センサ５５２から提供されるレッド光感知信号（ＲＶ）、グリーン光感知信号（ＧＶ）、及びブルー光感知信号（ＢＶ）をデジタル変換し、デジタル変換されたレッド光感知データ（ＲＤ）を第１増幅器６１２に、ブルー光感知データ（ＢＤ）を第１減衰器６１３にそれぞれ提供し、グリーン光感知データ（ＧＤ）をカラーコントローラ６１４に提供する。
【００８３】
第１増幅器６１２は、レッド光感知データ（ＲＤ）を増幅し、増幅されたレッド光感知データ（ＲＤＡ）をカラーコントローラ６１４に提供する。
【００８４】
第１減衰器６１３はブルー光感知データ（ＢＤ）を減衰し、減衰されたブルー光感知データ（ＢＤＤ）をカラーコントローラ６１４に提供する。
【００８５】
カラーコントローラ６１４は、増幅されたレッド光感知データ（ＲＤＡ）、グリーン光感知データ（ＧＤ）及び減衰されたブルー光感知データ（ＢＤＤ）の提供をそれぞれ受け、アッパーレッド光制御信号（ＲＤＡ１）、アッパーグリーン光制御信号（ＧＤ１）、及びアッパーブルー光制御信号（ＢＤＤ１）をそれぞれレッドＬＥＤ駆動回路６１５、グリーンＬＥＤ駆動回路６１６、及びブルーＬＥＤ駆動回路６１７に提供する。
【００８６】
レッドＬＥＤ駆動回路６１５は、電流供給制御信号５１１及びアッパーレッド光制御信号（ＲＤＡ１）に基づいてアッパーレッド光駆動電流（ＲＩＵ）をアッパーレッドＬＥＤ（５５６ＵＲ）に提供する。レッドＬＥＤ駆動回路６１５はＰＷＭ（ｐｕｌｓｅ  ｗｉｄｔｈ  ｍｏｄｕｌａｔｉｏｎ）ＩＣを含む。ＰＷＭ  ＩＣは、アッパーレッド光制御信号（ＲＤＡ１）に応答して相対的に増幅された出力デューティ（ａｍｐｌｉｆｉｅｄ  ｏｕｔｐｕｔ  ｄｕｔｙ）を用いて相対的に小さいアッパーレッド光駆動電流（ＲＩＵ）をアッパーレッドＬＥＤ（５５６ＵＲ）に提供する。
【００８７】
グリーンＬＥＤ駆動回路６１６は、電流供給制御信号５１１及びアッパーグリーン光制御信号（ＧＤ１）に基づいてアッパーグリーン光駆動電流（ＧＩＵ）をアッパーグリーンＬＥＤ（５５６ＵＧ）に提供する。グリーンＬＥＤ駆動回路６１６はＰＷＭ（ｐｕｌｓｅ  ｗｉｄｔｈ  ｍｏｄｕｌａｔｉｏｎ）ＩＣを含む。ＰＷＭ  ＩＣは、アッパーグリーン光制御信号（ＧＤ１）に応答して一定出力デューティ（ｃｏｎｓｔａｎｔ  ｏｕｔｐｕｔ  ｄｕｔｙ）を用いて正常的なアッパーグリーン光駆動電流（ＧＩＵ）をアッパーグリーンＬＥＤ（５５６ＵＧ）に提供する。
【００８８】
ブルーＬＥＤ駆動回路６１７は、電流供給制御信号５１１及びアッパーブルー光制御信号（ＢＤＤＩ）に基づいてアッパーブルー光駆動電流（ＢＩＵ）をアッパーブルーＬＥＤ（５５６ＵＢ）に提供する。ブルーＬＥＤ駆動回路６１７はＰＷＭ（ｐｕｌｓｅ  ｗｉｄｔｈ  ｍｏｄｕｌａｔｉｏｎ）ＩＣを含む。ＰＷＭ  ＩＣは、アッパーブルー光制御信号（ＢＤＤ１）に応答して相対的に減衰された出力デューティ（ｄａｍｐｅｄ  ｏｕｔｐｕｔ  ｄｕｔｙ）を用いて相対的に大きいアッパーブルー光駆動電流（ＢＩＵ）をアッパーブルーＬＥＤ（５５６ＵＢ）に提供する。
【００８９】
図７は、図５に示したミドル電源供給ユニットを説明するブロック図である。
【００９０】
図７を参照すると、ミドル電源供給ユニット６２０は、アナログ／デジタル変換器６２１、カラーコントローラ６２４、レッドＬＥＤ駆動回路６２５、グリーンＬＥＤ駆動回路６２６、及びブルーＬＥＤ駆動回路６２７を含む。レッドＬＥＤ駆動回路６２５、グリーンＬＥＤ駆動回路６２６、及びブルーＬＥＤ駆動回路６２７のそれぞれはミドルレッドＬＥＤ（５５６ＭＲ）、ミドルグリーンＬＥＤ（５５６ＭＧ）、及びミドルブルーＬＥＤ（５５６ＭＢ）に電気的に接続される。
【００９１】
アナログ／デジタル変換器６２１は、光学センサ５５２から提供されるレッド光感知信号（ＲＶ）、グリーン光感知信号（ＧＶ）、及びブルー光感知信号（ＢＶ）をデジタル変換し、デジタル変換されたレッド光感知データ（ＲＤ）、グリーン光感知データ（ＧＤ）、及びブルー光感知データ（ＢＤ）をカラーコントローラ６２４に提供する。
【００９２】
カラーコントローラ６２４は、レッド光感知データ（ＲＤ）、グリーン光感知データ（ＧＤ）及びブルー光感知データ（ＢＤ）の提供をそれぞれ受け、レッド光制御信号（ＲＤ２）、グリーン光制御信号（ＧＤ２）及びブルー光制御信号（ＢＤ２）をレッドＬＥＤ駆動回路６２５、グリーンＬＥＤ駆動回路６２６、及びブルーＬＥＤ駆動回路６２７それぞれに提供する。
【００９３】
レッドＬＥＤ駆動回路６２５は電流供給制御信号５１１及びレッド光制御信号（ＲＤ２）に基づいてミドルレッド光駆動電流（ＲＩＭ）をミドルレッドＬＥＤ（５５６ＭＲ）に提供する。
【００９４】
グリーンＬＥＤ駆動回路６２６は電流供給制御信号５１１及びグリーン光制御信号（ＧＤ２）に基づいてミドルグリーン光駆動電流（ＧＩＭ）をグリーンレッドＬＥＤ（５５６ＭＧ）に提供する。
【００９５】
ブルーＬＥＤ駆動回路６２７は電流供給制御信号５１１及びブルー光制御信号（ＢＤ２）に基づいてミドルブルー光駆動電流（ＢＩＭ）をミドルブルーＬＥＤ（５５６ＭＢ）に提供する。
【００９６】
図８は、図５に示したロー電源供給ユニットを説明するためのブロック図である。
【００９７】
図８を参照すると、ロー電源供給ユニット６３０はアナログ／デジタル変換器６３１、第２減衰器６３２、第２増幅器６３３、カラーコントローラ６３４、レッドＬＥＤ駆動回路６３５、グリーンＬＥＤ駆動回路６３６、及びブルーＬＥＤ駆動回路６３７を含む。レッドＬＥＤ駆動回路６３５、グリーンＬＥＤ駆動回路６３６、及びブルーＬＥＤ駆動回路６３７のそれぞれはローレッドＬＥＤ（５５６ＬＲ）、ローグリーンＬＥＤ（５５６ＬＧ）及びローブルーＬＥＤ（５５６ＬＢ）に電気的に接続される。
【００９８】
アナログ／デジタル変換器６３１は、光学センサ５５２から提供されるレッド光感知信号（ＲＶ）、グリーン光感知信号（ＧＶ）、及びブルー光感知信号（ＢＶ）をデジタル変換し、デジタル変換されたレッド光感知データ（ＲＤ）を第２減衰器６３２に、ブルー光感知データ（ＢＤ）を第２増幅器６３３にそれぞれに提供し、グリーン光感知データ（ＧＤ）をカラーコントローラ６３４に提供する。
【００９９】
第２減衰器６３２は、レッド光感知データ（ＲＤ）を減衰し、減衰されたレッド光感知データ（ＲＤＤ）をカラーコントローラ６３４に提供する。
【０１００】
第２増幅器６３３は、ブルー光感知データ（ＢＤ）を増幅し、増幅されたブルー光感知データ（ＢＤＡ）をカラーコントローラ６３４に提供する。
【０１０１】
カラーコントローラ６３４は、減衰されたレッド光感知データ（ＲＤＤ）、グリーン光感知データ（ＧＤ）及び増幅されたブルー光感知データ（ＢＤＡ）の提供をそれぞれ受け、ローレッド光制御信号（ＲＤＤ３）、ローグリーン光制御信号（ＧＤ３）、及びローブルー光制御信号（ＢＤＡ３）をそれぞれレッドＬＥＤ駆動回路６３５、グリーンＬＥＤ駆動回路６３６、及びブルーＬＥＤ駆動回路６３７に提供する。
【０１０２】
レッドＬＥＤ駆動回路６３５は、電流供給制御信号５１１及びローレッド光制御信号（ＲＤＤ３）を基づいてローレッド光駆動電流（ＲＩＬ）をローレッドＬＥＤ（５５６ＬＲ）に提供する。レッドＬＥＤ駆動回路６３５はＰＷＭ（ｐｕｌｓｅ  ｗｉｄｔｈ  ｍｏｄｕｌａｔｉｏｎ）ＩＣを含む。ＰＷＭ  ＩＣは、ローレッド光制御信号（ＲＤＤ３）に応答して相対的に減衰された出力デューティ（ｄａｍｐｅｄ  ｏｕｔｐｕｔ  ｄｕｔｙ）を用いて相対的に大きいローレッド光駆動電流（ＲＩＬ）をローレッドＬＥＤ（５５６ＬＲ）に提供する。
【０１０３】
グリーンＬＥＤ駆動回路６３６は、電流供給制御信号５１１及びローグリーン光制御信号（ＧＤ３）を基づいてローグリーン光駆動電流（ＧＩＬ）をローグリーンＬＥＤ（５５６ＬＧ）に提供する。グリーンＬＥＤ駆動回路６３６はＰＷＭ（ｐｕｌｓｅ  ｗｉｄｔｈ  ｍｏｄｕｌａｔｉｏｎ）ＩＣを含む。ＰＷＭ  ＩＣはローグリーン光制御信号（ＧＤ３）に応答して一定出力デューティ（ｃｏｎｓｔａｎｔ  ｏｕｔｐｕｔ  ｄｕｔｙ）を用いて正常的なローグリーン光駆動電流（ＧＩＬ）をローグリーンＬＥＤ（５５６ＬＧ）に提供する。
【０１０４】
ブルーＬＥＤ駆動回路６３７は、電流供給制御信号５１１及びローブルー光制御信号（ＢＤＡ３）に基づいてローブルー光駆動電流（ＢＩＬ）をローブルーＬＥＤ（５５６ＬＢ）に提供する。ブルーＬＥＤ駆動回路６３７はＰＷＭ（ｐｕｌｓｅ  ｗｉｄｔｈ  ｍｏｄｕｌａｔｉｏｎ）ＩＣを含む。ＰＷＭ  ＩＣは、ローブルー光制御信号（ＢＤＡ３）に応答して相対的に増幅された出力デューティ（ａｍｐｌｉｆｉｅｄ  ｏｕｔｐｕｔ  ｄｕｔｙ）を用いて相対的に小さいローブルー光駆動動電流（ＢＩＬ）をローブルーＬＥＤ（５５６ＬＢ）に提供する。
【０１０５】
本発明の一実施形態による表示装置の表示パネルの色再現性を向上させる方法において、まず、表示パネルの第１最外郭部に光を提供する第１領域、第１最外郭部に隣接する表示パネルの中央部に光を提供し第１領域に隣接する第２領域、及び中央部を基準にして第１最外郭部の反対側に配置される表示パネルの第２最外郭部に光を提供し第２領域を基準にして第１領域の反対側に配置される第３領域を有する光発生部を形成する。
続いて、第１領域から第１外郭部に提供される赤色光の強度を減少させる。
以後、第１領域から第１最外郭部に提供される青色光の強度を増加させる。
続いて、第２領域から中央部に提供される赤色光及び青色光の強度を保持させる。
続いて、第３領域から第２最外郭部に提供される赤色光の強度を増加させる。
以後、第３領域から前記第２最外郭部に提供される青色光の強度を減少させる。
【０１０６】
上記表示装置の表示パネルの色再現性を向上させる方法は、
電流制御信号及び光感知信号を電源供給部に印加する段階、及び電流制御信号及び光感知信号を用いて電源供給部から光発生部の第１、第２及び第３領域に光駆動電流を伝達する段階をさらに含む。
第１領域から第１最外郭部に提供される赤色光の強度を減少させる段階は電源供給部からの第１赤色光駆動電流を用いて実施される。
第１領域から第１最外郭部に提供される青色光の強度を増加させる段階は電源供給部からの第１青色光駆動電流を用いて実施される。
第２領域から中央部に提供される赤色光及び青色光の強度を保持させる段階は電源供給部から提供された第２赤色光駆動電流及び第２青色光駆動電流を用いて実施される。
第３領域から第２最外郭部に提供される赤色光の強度を増加させる段階は電源供給部から提供された第３赤色光駆動電流を用いて実施される。
第３領域から第２最外郭部に提供される青色光の強度を減少させる段階は電源供給部から提供された第３青色光駆動電流を用いて実施される。
【０１０７】
この際、光発生モジュール及び表示装置を用いる多様な方法を通じて上記表示装置の表示パネルの色再現性を向上させることもできる。
【０１０８】
尚、本発明は、上述の実施形態に限られるものではない。本発明の技術的範囲から逸脱しない範囲内で多様に変更実施することが可能である。
【図面の簡単な説明】
【０１０９】
【図１】本発明の一実施形態による液晶表示装置を説明するための分解斜視図である。
【図２】図１に示す光発生ユニットの平面図である。
【図３】一般的な電圧供給による光発生ユニットと本発明による差動駆動電圧供給による光発生ユニットの領域別カラー光の強度を示すグラフである。
【図４】本発明の一実施形態による液晶表示装置を説明するためのブロック図である。
【図５】図４に示した電源供給部を説明するためのブロック図である。
【図６】図５に示したアッパー電源供給ユニットを説明するためのブロック図である。
【図７】図５に示したミドル電源供給ユニットを説明するためのブロック図である。
【図８】図５に示したロー電源供給ユニットを説明するためのブロック図である。
【符号の説明】
【０１１０】
１００      収納容器
２００      光発生ユニット
２１０      回路基板
２２０      光学クラスタ
２２１      レッド発光素子
２２２、２２３    グリーン発光素子
２２４      ブルー発光素子
２３０      受光構造体
２４０、５５２    光学センサ
３００      表示ユニット
３１０      液晶表示パネル
３２０      駆動回路部
４１０      電源供給装置
４２０      光学部材
５１０      タイミング制御部
５２０      データ駆動部
５３０      ゲート駆動部
５４０      液晶表示パネル
５５０      光出射部
５５４      電源供給部
５５６      発光部
５５６Ｕ、５５６Ｍ、５５６Ｌ    （アッパー、ミドル、ロー）発光部
５５６ＵＲ、５５６ＵＧ、５５６ＵＢ  アッパー（レッド、グリーン、ブルー）ＬＥＤ
５５６ＭＲ、５５６ＭＧ、５５６ＭＢ  ミドル（レッド、グリーン、ブルー）ＬＥＤ
５５６ＬＲ、５５６ＬＧ、５５６ＬＢ  ロー（レッド、グリーン、ブルー）ＬＥＤ
６１０      アッパー電源供給ユニット
６１１、６２１、６３１    アナログ／デジタル（Ａ／Ｄ）変換器
６１２、６３３    （第１、第２）増幅器
６１３、６３２    （第１、第２）減衰器
６１４、６２４、６３４    カラーコントローラ
６１５、６２５、６３５    レッドＬＥＤ駆動回路
６１６、６２６、６３６    グリーンＬＥＤ駆動回路
６１７、６２７、６３７    ブルーＬＥＤ駆動回路
６２０      ミドル電源供給ユニット
６３０      ロー電源供給ユニット
【図１】
0005442183.tif 000002
【図２】
0005442183.tif 000003
【図３】
0005442183.tif 000004
【図４】
0005442183.tif 000005
【図５】
0005442183.tif 000006
【図６】
0005442183.tif 000007
【図７】
0005442183.tif 000008
【図８】
0005442183.tif 000009